(57)【要約】【課題】  固定分級羽根と回転分級羽根を順次通過させて製品として取り出すエアスエプト式の竪型粉砕機の運転方法において、ガスの流量を増やすと、製品中に粗い粒子の混入が発生して品質に悪影響を与えるという竪型粉砕機の問題を、効率的に防止する。【解決手段】  回転分級羽根の回転方向側にガスが流れるように該固定分級羽根を傾斜させるとともに、該固定分級羽根を通過するガス速度（Ｖｇ）を、回転分級羽根の回転周速度（Ｖｒ）よりも小さくして、１０ｍ／ｓ〜１６ｍ／ｓまでの範囲とする。本発明は、前述の構成により、固定分級羽根を通過後の原料が、回転分級羽根に強く吹き付けられて分級を阻害するという問題を生じることがなく、さらに、回転分級羽根に回転する力を与えることができるので、回転分級羽根の回転に要する消費動力を低減させることが可能である。【選択図】          図１
2009028660.tif 000002
【特許請求の範囲】
【請求項１】
回転テーブルの上方に固定分級羽根と回転分級羽根を備えた分級機を配し、回転テーブルと粉砕ローラとの間で粉砕した原料を、回転テーブル下方から導入したガスにより上方に吹き上げることによって、該固定分級羽根と該回転分級羽根を順次通過させて製品として取り出す竪型粉砕機の運転方法において、
該回転分級羽根の回転方向側にガスが流れるように該固定分級羽根を傾斜させるとともに、該固定分級羽根を通過するガス速度（Ｖｇ）を、回転分級羽根の回転周速度（Ｖｒ）よりも小さくして、１０ｍ／ｓ〜１６ｍ／ｓまでの範囲としたことを特徴とする竪型粉砕機の運転方法。
【請求項２】
前記回転羽根の断面形状は回転方向側に屈曲したＬ字型の形状であって、前記固定羽根の断面形状は半径方向中心側に向かって回転方向側に前傾するよう傾斜するとともに外周側部分にコの字型に屈曲したポケット部分を形成した形状であることを特徴とした請求項１記載の竪型粉砕機の運転方法。
【発明の詳細な説明】
【技術分野】
【０００１】
本発明は、主に石炭、オイルコークス、石灰石、スラグ、クリンカ、セメント原料、又化学品等を原料として粉砕する竪型粉砕機の制御方法及び制御装置に係り、特に、竪型粉砕機で原料を微粉砕する際に好適な竪型粉砕機の運転方法に関する。
【背景技術】
【０００２】
従来から、石炭やオイルコークス等を粉砕する粉砕機として竪型粉砕機（竪型ミル、或いは竪型ローラミルと称されることもある）と呼ばれる粉砕機が広く用いられており、特許文献１等に開示されるような従来技術が公知である。
【０００３】
【特許文献１】特開２００３−２６８３９４号公報
【０００４】
特許文献１に示される竪型粉砕機は、粉砕機の下部から吹き込んだ気流で、粉砕した原料を搬送し上昇させるとともに、竪型粉砕機内の上部に配した分級機構によって、気流により搬送された原料の中から微粉のみを選抜して、機外に取り出すタイプの竪型粉砕機であって、一般的にエアスエプト式と呼ばれる型式の竪型粉砕機である。
【０００５】
以下、特許文献１に開示されたエアスエプト式の竪型粉砕機の構造等について簡略に説明する。特許文献１に開示された竪型粉砕機は、回転テーブルの上方に、分級機構として略環状に並んだ複数毎の固定分級羽根と、複数毎の回転羽根を有した回転セパレータを備え、該回転セパレータの中心軸を上下に貫通するようにして原料投入シュートが配されている。そして、原料投入シュートを介し、原料投入口から回転テーブル上に原料を投入する（供給と称することもある）ことができるよう構成されている。
なお、原料投入方式は、上述の型式に限らず、竪型粉砕機ケーシング側面から回転テーブル中央に向かって延びる投入シュートによって、回転テーブル上に原料を投入する方式も一般的である。
【０００６】
原料投入シュートによって、回転テーブル中央付近に供給された原料は、回転テーブル上で渦巻き状の軌跡を描きながら、回転テーブルの外周部に向かって移動する。回転テーブルの外周縁部にはダムリングが設けられ、回転テーブル上で所要の原料厚みを保持するように構成されているので、回転テーブルの外周部に移動した原料は、ダムリングでせき止められ、回転テーブルと粉砕ローラに噛み込まれ粉砕される。
【０００７】
なお、回転テーブルと粉砕ローラに噛み込まれて粉砕された原料の一部は、回転テーブルの外縁部に周設されたダムリングを乗り越え、回転テーブル上面の外周部とケーシングとの隙間である環状通路（環状空間部と称することもある）へと向かう。
【０００８】
竪型粉砕機の運転中には、粉砕機下部に設けられたガス導入口より、エキゾーストファン等の送風機により、竪型粉砕機内にガスを導入しており、回転セパレータ部を介して、粉砕機上方に設けた取出口から機外に排出している。その結果、竪型粉砕機のケーシング内で、該回転テーブル下方から回転セパレータ上方に向かうガスの気流が生じている。
従って、該ダムリングを乗り越えて環状通路に達した原料の一部は、前記ガスの気流により吹き上げられて、ケーシング内を上昇する。
【０００９】
ケーシング内において上昇する気流は、回転セパレータの影響等を受けて、旋回しながら上昇する気流となっている。そのため、気流により吹き上げられた原料の中で、径が大きく重量の大きな原料は、その重量のためにケーシング下方に落下する、或いは、気流による旋回により原料自身に発生する遠心力によって気流から逸脱してケーシング下方に落下する等し、固定分級羽根に到達することができない、或いは固定分級羽根を通過しても回転セパレータを通過することができない。固定分級羽根を通過できなかった径の大きな原料は、環状通路より下方に落下して機外に取り出される、或いは回転テーブル上に落下して再度粉砕される。また、固定分級羽根を通過し、回転セパレータを通過できずに落下した原料は、内部コーンで集められて、再度粉砕ローラに噛み込まれて粉砕される。
また、径の小さな原料は、回転分級羽根の間を抜けて通過し、上部取出口（製品取出口）より取り出される。
【００１０】
そして、環状通路より回転テーブル下方に落下して機外に取り出された原料は、バケットエレベータ等の搬送機を介して型粉砕機の原料投入口から再度投入されて粉砕される。
【００１１】
なお、製品取出口から取り出す製品の粒度を調整する際において、竪型粉砕機に導入するガスの流量を変えることなく、回転分級機の回転周速度 のみを変化させて対応するといった運転方法が一般的に公知である。この方法は、言い換えれば、固定分級羽根を通過するガスの速度を一定の速度に設定したまま、製品取出口から取り出した製品の粒度が目的の値に達するよう回転分級羽根の回転周速度を変更する方式である。
【発明の開示】
【発明が解決しようとする課題】
【００１２】
前述したように、製品取出口から取り出す製品の粒度を調整する際において、回転分級機の回転速度を変化させて対応するといった運転方法は公知である。
しかし、例えば、前述の竪型粉砕機の運転方法においてガスの流量を増やすと、製品中に粗い粒子の混入が発生して品質に悪影響を与えるという問題が発生する。回転分級羽根の回転速度を早くして分級効果を高めると、これを回避できるが、その場合には目的とした製品粒度が過度に小さくなり、また、回転分級羽根部分の圧力損失が高くなって回転分級羽根を駆動する駆動機の消費電力が増加するという新たな問題が発生した。
【００１３】
本発明は、以上のような要求に鑑みてなされたものであり、原料を効率よく微粉砕するに好適な竪型粉砕機の運転方法に関する。
【課題を解決するための手段】
【００１４】
上記の目的を達成するため、本発明による竪型粉砕機の運転方法は、
（１）  回転テーブルの上方に固定分級羽根と回転分級羽根を備えた分級機を配し、回転テーブルと粉砕ローラとの間で粉砕した原料を、回転テーブル下方から導入したガスにより上方に吹き上げることによって、該固定分級羽根と該回転分級羽根を順次通過させて製品として取り出す竪型粉砕機の運転方法において、該回転分級羽根の回転方向側にガスが流れるように該固定分級羽根を傾斜させるとともに、該固定分級羽根を通過するガス速度（Ｖｇ）を、回転分級羽根の回転周速度（Ｖｒ）よりも小さくして、１０ｍ／ｓ〜１６ｍ／ｓまでの範囲とした。
【００１５】
（２）  （１）に記載の竪型粉砕機の運転方法において、前記回転羽根の断面形状は回転方向側に屈曲したＬ字型の形状であって、前記固定羽根の断面形状は半径方向中心側に向かって回転方向側に前傾するよう傾斜するとともに外周側部分にコの字型に屈曲したポケット部分を形成した。
【発明の効果】
【００１６】
本発明によれば、竪型粉砕機の運転方法において、下部取出口から導入したガスが、固定分級羽根と回転分級羽根を順次通過して上部取出口から取り出される際に、該固定分級羽根を通過するガス速度（Ｖｇ）を回転分級羽根の回転周速度（Ｖｒ）よりも小さくするとともに、該固定羽根を通過するガスの速度（Ｖｇ）が１０ｍ／ｓ（メートル／秒）以上で１６ｍ／ｓ（メートル／秒）以下の範囲にあるよう構成した。
本発明は、前述の構成により、回転分級羽根の回転周速度（Ｖｒ）を不要に高くして製品の粒度を過度に小さくすることなく、所望する粒径の製品を効率よく製造することができるとともに、分級機の圧力損失を低減して消費動力を抑えた運転を行うことができる。
【発明を実施するための最良の形態】
【００１７】
以下、図面に基づき本発明の好ましい実施形態の例について詳細に説明する。
図１は本実施形態に係り竪型粉砕機の概略の構造を説明するための説明図である。図２は本実施形態に固定分級羽根と回転分級羽根の説明する要部断面図である。
図３は固定分級羽根及び回転分級羽根の寸法を説明するための説明図であり、図４は固定分級羽根の寸法を説明するための説明図である。
【００１８】
以下、本発明の実施形態に係り竪型粉砕機１の好ましい構成の１例について説明する。
本実施形態に用いる竪型粉砕機１は、図１に示すように、上部ケーシング２２及び下部ケーシング２４を有して、その外郭を形成する
図１に示す竪型粉砕機１においては、上部ケーシング２２の上部に製品取出口２８が形成されるとともに、上部ケーシング２２の中には分級機１０が配されている。
【００１９】
図１に示すように、本実施形態に用いた分級機１０は、回転分級羽根１５と、回転羽根１５の外周に隣設するようにして同心円状に配された固定分級羽根１２とを備えている。
回転分級羽根１５は、回転軸１１から放射状に延びるようにして配された回転分級羽根支持部１８を介して、回転軸１１に取りつけられており、回転軸１１を中心として円環状に並ぶようにして配列されており、その長手方向の長さは、垂直方向に延びて上部ケーシング内で立設するよう配されている。
【００２０】
回転軸１１は、その上端が、上部ケーシング２２の上部に配された駆動モータ１７に連結されており、駆動モータ１７によって駆動されて回転する構造となっている。
従って、回転分級羽根１２は、回転軸１１及び回転羽根支持部１８を介して、駆動モータ１７により駆動されて回転する構造となっている。
なお、回転分級羽根１５について、図１のＡ断面にて切断した際における形状を、図２に示す。回転分級羽根１５の断面形状は、基本的に、回転軸１１を中心として、放射状に延びる形状であるが、その内周側部分が回転方向側に屈曲してＬ字型状となっている。
【００２１】
次ぎに、固定分級羽根１２は、その上部が上部ケーシングの天板に固設されて、上部ケーシング２２の天板部分から垂下するようにして、又、回転分級羽根１５の回転半径の外周側に隣設するようにして、同心円状に並ぶよう配されている。
固定分級羽根１２について、図１のＡ断面にて切断した際における形状を図２に示す。
図２に示す固定分級羽根１２の断面形状は、回転軸１１を中心として、中心側に進むにつれて、回転方向側に前傾するように傾斜しており、さらに、図２に示した実施形態においては、回転分級羽根１５の外周部分にコの字型に屈曲したポケット部分を形成した。
図２にガスの流れＶｇを模式的に図示するが、回転テーブル下方からガスが導入された場合に、固定分級羽根１２を通過するガスの流れは、前述の固定分級羽根の傾斜によって導かれ、回転分級羽根１５の回転方向側にガスが噴出される。
【００２２】
また、固定分級羽根１２の下端には、その外形が略逆円錐台形状の内部コーン２６が、固定分級羽根支持部１９を介して固設されている。
固定分級羽根１２には、コの字型のポケット部が形成されており、後述する分級の際においては、回転分級羽根１５等の影響により旋回するガスの中で遠心力によりガス流れを逸脱した原料の一部が、ポケット部に補足されて、ポケット部の中を滑り落ちながら、内部コーン２６に達するよう構成されている。
【００２３】
次ぎに、上部ケーシング２２の下方に固設された下部ケーシング２４の中には、回転テーブル３３、回転テーブル３３の上面外周部を円周方向に等分する位置に配設した複数個のコニカル型の粉砕ローラ３１を備えており、下部ケーシング２４の下方には、回転テーブル３３を駆動する図示しない減速機、減速機を駆動する電動機等が備えられている。
【００２４】
ここで、粉砕ローラ３１は、下部ケーシング２４に回動自在に軸着した図示しないアームを介して、図示しない油圧シリンダ等に連結されており、該油圧シリンダ等の作動により回転テーブル３３の方向に押圧されて、回転テーブル３３に原料を介して従動することによって回転する。
【００２５】
また、上部ケーシング２２の側面部分には、原料投入口２０が設けられており、上部ケーシング２２の側面部分から内部コーン２６下部に延びる原料投入シュート２０Ａが配されている。
従って、図１に示した実施形態においては、原料投入口２０から、原料投入シュート２０Ａを介して原料投入口２０から回転テーブルに原料を投入する（供給と称することもある）ことができるよう構成されている。
【００２６】
原料投入口２０から原料投入シュート２０Ａを介して投入した原料は、内部コーン２６の下端にある供給用の円筒から回転テーブル３３上に投入される。
投入された原料は、回転テーブル３３上で渦巻き状の軌跡を描きながら、回転テーブル３３の外周部に移動して、回転テーブル３３と粉砕ローラ３１に噛み込まれ粉砕される。
そして、回転テーブル３３と粉砕ローラ３１に噛み込まれて粉砕された原料の一部は、回転テーブル３３の外縁部に周設されたダムリングを乗り越え、回転テーブル３３の外周部とケーシングとの隙間である環状通路５０へと向かう。
【００２７】
ここで、図示しない回転テーブル３３の下方には、ガスを導入するためのガス導入口を設けており、竪型粉砕機１の運転中においては、環状通路５０よりガス（本実施形態においては空気）を導入する。
導入されたガスは、製品取出口２８から機外に排出されるので、上部ケーシング２２及び下部ケーシング２４内において、回転テーブル３３下方から、固定分級羽根１２を通過して、回転分級羽根１５を通過することにより分級機１０を通過して製品取出口２８へと流れるガスの気流が生じている。
【００２８】
竪型粉砕機１内に投入した原料と、回転テーブル３３と粉砕ローラ３１に粉砕されてダムリングを乗り越えた原料の一部は、前記ガスにより吹き上げられて上部及び下部ケーシング２２、２４（ケーシング２２、２４と称することもある）内を上昇し、分級機１０の方向に向かって上昇していく。
【００２９】
ここで、径の大きく重量の大きな原料は、分級機１０の固定分級羽根１２まで到達することができない、或いは固定分級羽根１２を通過できないために、ガスの流れから逸脱して落下する。落下した原料は、再度粉砕ローラ３１に噛み込まれて粉砕される、或いは環状通路５０からさらに下方に落下して機外に取り出される。
【００３０】
分級機１０の固定分級羽根１２まで到達した原料は、固定分級羽根１２を通過する際に、凝集等を解砕されながら、回転分級羽根１５の方向に向かって流れようとする。
前述したように、固定分級羽根１２を通過する際、又通過直後において、回転分級羽根１５等の影響により強く旋回するガスの中で遠心力によりガス流れを逸脱した原料はポケット部に補足され、或いは、回転分級羽根１５に到達しながら回転分級羽根１５を通過することができなかった原料は、そのまま落下して、分級機１０の下方に配した内部コーン２６上を滑り落ちながら、回転テーブル３３の中央部分に戻されて、再度粉砕ローラ３１に噛み込まれて粉砕される。
【００３１】
回転分級羽根１５を通過した原料は、製品取出口２８からガスと共に機外に取り出されて、図示しない捕集器などで補足されて製品となる。
【００３２】
なお、本実施形態に用いる竪型粉砕機の１例として、図１に示すような竪型粉砕機１を説明したが、本発明に用いることのできる竪型粉砕機１の構造はこれに限ることがないことは勿論であって、本発明の適応の範囲を逸脱しない範囲において、他の公知の構成の竪型粉砕機を使用しても良く、例えば、ケーシング上部から原料を投入する所謂、センターフィード方式の竪型粉砕機であっても良く、例えば、粉砕ローラ３１の形状がスフェリカル形状のタイヤ型の竪型粉砕機であっても良い。
【００３３】
以下、本発明による竪型粉砕機１の運転方法について、従来技術と異なる部分を中心として、好ましい実施形態を説明する。
なお、本実施形態に用いた竪型粉砕機１は、粉砕ローラ３１の個数が３個であって、回転テーブル３３の回転数は７３ＲＰＭであり、粉砕ローラ３１の中心直径Ｄは０．４ｍであり、回転テーブル３３の直径Ｔは０．６４ｍである。
【００３４】
原料投入シュート２０Ａにより、回転テーブル３３の中央部に供給された原料は、回転テーブル３３の外周部に向かって移動し、回転テーブル３３と粉砕ローラ３１に噛み込まれ粉砕される。
【００３５】
回転テーブル３３と粉砕ローラ３１に噛み込まれて粉砕された原料の一部は、回転テーブルの外縁部に周設されたダムリングを乗り越え、回転テーブル３３の上面の外周部と下部ケーシング２４との隙間である環状通路５０へと向かう。
【００３６】
竪型粉砕機１の運転中には、粉砕機下部に設けられた環状通路５０より、機内にガスを導入しており、分級機１０を介して、粉砕機上方に設けた製品取出口２８から機外に排出している。その結果、竪型粉砕機１のケーシング２２，２４内で、回転テーブル３３下方から分級機１０に向かうガスの気流が生じている。従って、ダムリングを乗り越えて環状通路５０に達した原料の一部は、前記ガスの気流により吹き上げられて、ケーシング２２，２４内を上昇する。
【００３７】
ケーシング２２，２４内において上昇する気流は、分級機１０の回転分級羽根１５の影響を受けて、旋回しながら上昇する気流となっている。
そのため、気流により吹き上げられた原料の中で、径が大きく重量の大きな原料は、その重量のためにケーシング下方に落下する、或いは、旋回により原料自身に発生する遠心力によって気流から逸脱してケーシング下方に落下する等して、分級機１０の固定分級羽根１２を通過することができない。
【００３８】
固定分級羽根１２を通過できず、落下した原料は、再度、粉砕ローラ３１に噛み込まれて粉砕される、或いは、環状通路５０より回転テーブル下方に落下して下部取出口より竪型粉砕機１の外に取り出された後、図示しないバケットエレベータ等の搬送機を介して、型粉砕機の原料投入口から再度投入されて、粉砕される。
【００３９】
なお、前述したように、固定分級羽根１２まで到達した原料は、固定分級羽根１２を通過する際に、凝集等を解砕されて、回転分級羽根１５の方向に向かって流れる。
ここで、比較的径の大きな原料は、強く旋回するガスの中で発生する原料自身の遠心力によってガス流れを逸脱し、分級機１０の下方に配した内部コーン２６上を滑り落ちながら、回転テーブル３３の中央部分に戻されて、再度粉砕ローラ３１に噛み込まれて粉砕される。
【００４０】
回転分級羽根１５を通過した原料は、製品取出口２８からガスと共に機外に取り出されて、図示しない捕集器などで補足されて製品となる。
【００４１】
ここで、従来技術においては、固定分級羽根１２は、一般的に、粉砕物を解砕することを目的として配置されているだけであって、回転分級羽根の回転周速度との関係が特段に規定されていなかった。
【００４２】
本願発明者らは鋭意研究の結果、固定分級羽根１２を通過するガスの速度Ｖｇと、回転分級羽根１５の回転周速度Ｖｒとの関係に着目し、その結果、前述の問題を防止できる運転条件として、固定分級羽根１２を通過するガスの速度Ｖｇと、回転分級羽根１５の回転周速度Ｖｒとの好ましい関係として、下記条件を数式１として見出した。
【００４３】
【数１】
2009028660.tif 000003
【００４４】
また、本実施形態において、固定分級羽根１２は、分級する原料の解砕を主目的とし、原料の粒度、比重、付着水分によって固定分級羽根通過速度を設定するとともに、回転分級羽根１５による分級を阻害しないように考慮した。
【００４５】
即ち、ガスの流量を増やす等して固定分級羽根１２を通過するガスの速度を高めると、固定分級羽根１２を通過後の原料が、回転分級羽根に強く吹き付けられて、回転分級羽根１５による分級を阻害する。
このような理由から、固定分級羽根１２を通過するガスの速度Ｖｇは、数式１の条件を満たすと共に、１０ｍ／ｓ（メートル／秒）以上で１６ｍ／ｓ（メートル／秒）以下の範囲にあることが好ましい。
【００４６】
なお、本実施形態においては、前記固定分級羽根の断面形状は半径方向中心側に向かって回転方向側に前傾するよう傾斜しており、回転分級羽根１５に回転する力を与えることができ、回転分級羽根１５の回転に要する消費動力を低減させることが可能である。
【００４７】
ここで、実運転中においては、内部コーン２６下方から上昇して固定分級羽根１２を通過しないガスもあって、実際のガス速度Ｖｇを算出することは極めて困難である。
従って、本発明においては、固定分級羽根１２を通過するガスの速度Ｖｇは、竪型粉砕機１内に導入する単位時間あたりのガス量Ｑ（ｍ３/ｓ）、及び固定分級羽根１２間の隙間面積Ｓ（ｍ２）により下記数式２で表わすものと定義した。
なお、前記導入ガス量Ｑ（ｍ３/ｓ）は、竪型粉砕機１の出口側（製品取出口２８等）から抜き出されるガス量を算出して求めた。
【００４８】
【数２】
2009028660.tif 000004
【００４９】
隙間開口面積Ｓ（ｍ２）は、図３の隙間長手寸法Ｌ（ｍ）、図４の隙間幅寸法Ｗ（ｍ）、及び隙間の個数により、以下の数式３で表わすものと定義する。
なお、隙間の個数は、固定分級羽根１２の枚数によって決定し、固定分級羽根１２の枚数と同数になる。
【００５０】
【数３】
2009028660.tif 000005
【００５１】
回転分級羽根の回転周速度Ｖｒ（ｍ／ｓ）は、回転分級羽根１５の１分間あたりの回転数である回転速度Ｎ（ｒｐｍ）と図３の回転分級羽根１５の回転半径Ｒ（ｍ）により以下の数式４で表される。
【００５２】
【数４】
2009028660.tif 000006
【００５３】
本実施形態によれば、固定分級羽根１２を通過するガス速度Ｖｇと、回転分級羽根の回転周速度Ｖｒを前述の構成により設定し運転することで、回転分級羽根１５の回転速度を過度に速くすることなく、目的の製品粒度を得ることができると同時に、分級機１０の圧力損失を低減し、分級機１０の駆動モータ１７等の動力低減を行うことが可能になる。
【図面の簡単な説明】
【００５４】
【図１】本実施形態に用いる竪型粉砕機の断面図である。
【図２】固定分級羽根と回転分級羽根の配置及び形状を説明する要部拡大図である。
【図３】固定分級羽根及び回転分級羽根の寸法を説明するための説明図である。
【図４】固定分級羽根の寸法を説明するための説明図である。
【符号の説明】
【００５５】
１    竪型粉砕機
１０    分級機
１１    回転軸
１２    固定分級羽根
１５    回転分級羽根
１７    駆動モータ
２０    原料投入口
２２    上部ケーシング
２４    下部ケーシング
２６    内部コーン
２８    製品取出口
３１    粉砕ローラ
３３    回転テーブル
５０    環状通路
２０Ａ  原料投入シュート
【図１】
2009028660.tif 000007
【図２】
2009028660.tif 000008
【図３】
2009028660.tif 000009
【図４】
2009028660.tif 000010